(57)【要約】      （修正有）【課題】長波長光を反射できず偏赤状況を来さないコレステリック液晶膜を提供する。【解決手段】波長が可視光よりも長い波長の光線を反射する波長選択性反射膜と、波長選択性反射膜の上に位置し、特定の直線偏光を通過させる偏光膜と、選択性反射膜と偏光膜との間に位置し、輝度増強膜を通過できない円偏光を反射させる輝度増強膜とを備えてなる。波長選択性反射膜及び輝度増強膜はそれぞれ第一及び第二のコレステリック液晶層を備え、その反射光の波長は、式λ（θ）＝ｎＰ０ｃｏｓ（ｓｉｎ−１ｓｉｎθ／ｎ）（λは反射波長、Ｐ０は液晶構造のねじれピッチ長、ｎは反射層の平均屈折率、θは光線入射角）を満足し、光線制御膜の反射光の波長を可視光の波長範囲に位置させ、大なる視野角により発生する色彩シフト現象を補償する。【選択図】図２
2006113519.tif 000002
【特許請求の範囲】
【請求項１】
波長が可視光波長範囲よりも長い波長の光線を反射する波長選択性反射膜と、
波長選択性反射膜の上に位置し、特定方向の直線偏光を通過させる偏光膜と、
前記選択性反射膜と前記偏光膜との間に位置し、輝度増強膜を通過できない円偏光を反射させる輝度増強膜と、
を備えてなることを特徴とする光線制御膜。
【請求項２】
前記波長選択性反射膜は第一のコレステリック液層を備えてなり、
また、前記輝度増強膜は第二のコレステリック液晶層及び位相差板を備えてなり、
前記第一及び第二のコレステリック液晶層はそれぞれ異なる液晶構造のねじれピッチ長を有し、
前記第一及び第二のコレステリック液晶層の反射波長は、それぞれ式λ（θ）＝ｎＰ０ｃｏｓ（ｓｉｎ−１ｓｉｎθ／ｎ）を満足し、そして前記光線制御膜の反射光の波長を可視光の波長範囲に位置させ、ここで上記式中、λは反射波長、Ｐ０は液晶構造のねじれピッチ長、ｎは反射層の平均屈折率、θは光線入射角をそれぞれ表わし、及び／又は、
前記輝度増強膜に含まれる位相差板は１／４波長板であることを特徴とする請求項１に記載の光線制御膜。
【請求項３】
前記偏光膜は吸収式偏光膜又は直線偏光膜であることを特徴とする請求項１に記載の光線制御膜。
【請求項４】
透光基板と、
前記基板の上に位置し、可視光波長範囲よりも長い波長の光線を反射する波長選択性反射層とを備え、ここで、
前記波長選択性反射層はコレステリック液晶層を備え、且つ、その反射波長は、式λ（θ）＝ｎＰ０ｃｏｓ（ｓｉｎ−１ｓｉｎθ／ｎ）を満足し、光線の入射角が大きくなると波長が可視光範囲へ移動し、ここで上記式中、λは反射波長、Ｐ０は液晶構造のねじれピッチ長、ｎは反射層の平均屈折率、θは光線入射角をそれぞれ表わすことを特徴とする光線制御膜。
【請求項５】
前記選択性反射層の反射光線の波長は、７００ｎｍ以上であることを特徴とする請求項４に記載の光線制御膜。
【請求項６】
可視光波長範囲よりも長い波長の光線を反射する波長選択性反射層と、
前記波長選択性反射層の上に位置し、可視光波長範囲の光線を反射する反射式偏光層と、
前記反射式偏光層の上に位置する位相差板と、
を備えてなり、ここで、
前記波長選択性反射層及び前記反射式偏光層は、それぞれ第一のコレステリック液晶層と第二のコレステリック液晶層とを備え、且つその反射波長はそれぞれ式λ（θ）＝ｎＰ０ｃｏｓ（ｓｉｎ−１ｓｉｎθ／ｎ）を満足し、そして前記光学膜の反射光波長を可視光の波長範囲に位置させ、ここで、λは反射波長、Ｐ０は液晶構造のねじれピッチ長、ｎは反射層の平均屈折率、θは光線入射角をそれぞれ表わすことを特徴とする光学膜。
【請求項７】
前記表示装置の光源を提供するバック・ライト・ソースと、
前記バック・ライト・ソースの上に位置し、可視光波長範囲よりも波長の長い光線を反射する波長選択性反射層と、
前記波長選択性反射層の上に位置する反射式偏光層と、
前記反射式偏光層の上に位置し、円偏光を直線偏光に転換する位相差板と、
前記位相差板の上に位置し、そして直線偏光が互いに直交する第一及び第二の偏光膜と、
前記第一及び第二の偏光膜の間に位置し、光線の透過方向を制御する液晶層とを備えてなり、ここで、
前記反射式偏光層は、前記反射式偏光層を通過できない円偏光を反射すると共に、視野角の大なるときに発生する反射波長範囲のシフト現象が波長選択性反射層の反射波長のシフトにより解決されることを特徴とする液晶表示装置。
【請求項８】
前記選択性反射層は第一のコレステリック液晶層を備え、
前記反射式偏光層は第二のコレステリック液晶層を備え、
前記各コレステリック液晶層の液晶構造のねじれピッチ長は異なり、及び／又は、
前記各コレステリック液晶層の反射光波長は、式λ（θ）＝ｎＰ０ｃｏｓ（ｓｉｎ−１ｓｉｎθ／ｎ）を満足し、そして前記波長選択性反射層及び前記反射式偏光層の反射光波長は可視光の範囲に位置しており、ここで上記式中、λは反射波長、Ｐ０は液晶構造のねじれピッチ長、ｎは反射層の平均屈折率、θは光線入射角をそれぞれ表わすことを特徴とする請求項７に記載の液晶表示装置。
【発明の詳細な説明】
【技術分野】
【０００１】
本発明は光線制御膜に関し、特に、液晶表示器関連のコレステリック液晶光制御膜に関する。
【背景技術】
【０００２】
液晶表示技術は、近年技術進展とマーケット普及率とにおいて成長が最も早い表示技術の一つである。近年の液晶表示器が伝統的なＣＲＴ（Ｃａｔｈｏｄｅ  Ｒａｙ  Ｔｕｂｅ）表示器に取って代わる過程にありながら、液晶表示器がずっとＣＲＴ表示器技術を越えられないネックは、液晶表示器側の輝度、カラー・コントラスト、応答速度及び視覚等の問題であった。しかし、膨大な市場需要を背景に、多くの液晶表示技術の上記問題が逐一改善されつつある。
【０００３】
液晶表示器の輝度表現において早期の液晶表示系統では、各層の組成素子により光源を一層づつ処理した後、真にバック・ライトの光線がスクリーン上に発現する光の使用効率は１０％にも至らない。これは厳しく該表示器の輝度表現に影響すると共に、エネルギーの転換効率が悪いために熱の管理問題を派生する。液晶表示素子のうち光源使用効率が低い素子は、主として偏光・光線を生ずる偏光膜を利用する素子である。
【０００４】
最近のマーケットで主として使用されている偏光膜はいずれも吸収式偏光膜であり、その機能は主にある特定の直線偏光された光を通過させることにある。したがって、非偏光光線が該タイプの偏光膜を経過すれば、光線のうち偏光膜と異なる直線偏光の成分は完全に該偏光膜に吸収されて、その結果半分以上の光透過効率が損失することになる。したがって、表示器の輝度表現を向上するために、技術としては反射式偏光膜を利用する設計が開始され、これは本来透過できない吸収式偏光膜の偏光を、吸収式偏光膜を通過する前に先ず反射式偏光膜を経由して、バック・ライト・モジュールに反射させ、これを戻すことにより、これらの偏光を回収する設計である。
【０００５】
従来の輝度増強膜技術は、反射式偏光膜層と位相差板とを結合して、バック・ライト・モジュールからの非偏光（自然光）は輝度増強膜を透過するとともに特定の直線偏光の偏光と輝度増強膜により反射仕返しされたバック・ライト・モジュールの偏光とに分けられる。
【０００６】
該作用は図１に示したとおりである。バック・ライト・モジュール１’より入射した非偏光の光１１’は、コレステリック液晶層２２’に入射した後、右旋回の円偏光１３’を生じてコレステリック液晶層２２’を透過し、一方では左旋回の円偏光１２’を生じて該コレステリック液晶層２２’よりバック・ライト・モジュール１’へと反射する。そして左旋回の円偏光１２’は、再度バック・ライト・モジュール１’を経由して反射し、同時に右旋回の円偏光１３’に転換し、これはスムーズに該コレステリック液晶層２２’を通過し、この結果輝度増強膜２‘の光線透過率を増加させる効果が達成される。
【０００７】
また、コレステリック液晶層２２‘を透過した右旋回の円偏光１３’は再度１／４波長位相板２４’を透過して位相が直線偏光１４’に転換される。該直線偏光１４’の直線偏光と偏光膜３’の直線偏光の方向は同一であるので、多数の光線が偏光膜３’に吸収されることなく、いずれも該偏光膜３’を通過し、液晶表示系統の輝度を向上する効果が達成される。
【発明の開示】
【発明が解決しようとする課題】
【０００８】
従来のコレステリック液晶輝度増強膜（Ｃｈｏｌｅｓｔｅｒｉｃ  Ｌｉｑｉｄ  Ｃｒｙｓｔａｌ−ｂａｓｅｄ  Ｂｒｉｇｈｔｎｅｓｓ  Ｅｎｈａｃｅｍｅｎｔ  Ｆｉｌｍ：ＣＢＥＦ）は、コレステリック液晶の特殊構造を介して、非偏向の光を右旋回及び左旋回の円偏光に転換することにより、既に効果的に偏光膜の光線透過効率を向上することができるが、コレステリック液晶層自体が液晶分子間のねじれピッチ長及び分子長短軸屈折率の影響を受けるので、光線がある角度で該液晶層に入射した時、反射光線の波長スペクトルをして短波長の方向へシフトさせることになり、比較的長い波長の光線（例えば、赤外線等）が該輝度増強膜による反射ができずに輝度増強膜を透過してしまうので、結果的に、ＣＢＥＦ付液晶表示器で視野角が大なる状況下において偏赤状況の様相を来たすことになる。
上記の説明から分かるように、輝度増強技術は既に不可欠の技術となり、同時にＣＢＥＦの輝度増強効果を維持すると共に、視野角が大なる場合において見られる偏赤外線現象が解決された光線制御膜を提供するのが本発明の研究課題である。
【課題を解決するための手段】
【０００９】
上記課題を解決するために提供される光線制御膜は、波長が可視光波長範囲の光線よりも長い波長の光線を反射する波長選択性反射膜と、波長選択性反射膜の上に位置し、特定の直線偏光を通過させる偏光膜と、該波長選択性反射膜と該偏光膜との間に位置し、輝度増強膜を通過できない円偏光を反射させる輝度増強膜とを備えてなることを特徴とする（請求項１に対応）。
【００１０】
上記発明の光線制御膜において、
該波長選択性反射膜は第一のコレステリック液層を備えてあり、
また、該輝度増強膜は第二のコレステリック液晶層及び位相差板を備えてあり、
該第一及び第二のコレステリック液晶層の液晶構造のねじれピッチ長はことなり、
該第一及び第二のコレステリック液晶層の反射波長は、それぞれ式λ（θ）＝ｎＰ０ｃｏｓ（ｓｉｎ−１ｓｉｎθ／ｎ）を満足し、そして該光線制御膜の反射光の波長を可視光の範囲に位置させ、ここで、上記式中、λは反射波長、Ｐ０は液晶構造のねじれピッチ長、ｎは反射層の平均屈折率、θは光線入射角をそれぞれ表わし、及び／又は、
該輝度増強膜に含まれる位相差板は１／４波長板であることを特徴とする（請求項２に対応）。
【００１１】
また、上記発明の光線制御膜において、
該偏光膜は吸収式偏光膜であり、又は線性偏光膜であることを特徴とする。（請求項３に対応）。
【００１２】
さらには、上記課題の解決に提供される光線制御膜は、
透光基板と、
該基板の上に位置し、可視光波長範囲よりも長い波長の光線を反射する波長選択性反射層とを備え、その中、
該波長選択性反射層はコレステリック液晶層を備え、且つ、その反射波長はそれぞれ式λ（θ）＝ｎＰ０ｃｏｓ（ｓｉｎ−１ｓｉｎθ／ｎ）を満足し、入射角が大きくなると波長は可視光範囲へ移動し、ここで、上記式中、λは反射波長、Ｐ０は液晶構造のねじれピッチ長、ｎは反射層の平均屈折率、θは光線入射角をそれぞれ表わすことを特徴とする（請求項４に対応）。
【００１３】
また、該波長選択性反射層の反射光線の波長は、７００ｎｍ以上であることを特徴とする（請求項５に対応）。
【００１４】
さらには上記課題を解決するために提供される光学膜は、
可視光波長範囲よりも長い波長の光線を反射する波長選択性反射層と、
該波長選択性反射層の上に位置し、可視光波長範囲の光線を反射する反射式偏光層と、
該反射式偏光層の上に位置する位相差板と、
を備えてなり、その中、
該波長選択性反射層及び該反射式偏光層は、それぞれ第一のコレステリック液晶層と第二のコレステリック液晶層とを備え、且つその反射波長は式λ（θ）＝ｎＰ０ｃｏｓ（ｓｉｎ−１ｓｉｎθ／ｎ）を満足し、そして該光学膜の反射光波長を可視光の波長範囲に位置させ、ここで上記式において、λは反射波長、Ｐ０は液晶構造のねじれピッチ長、ｎは反射層の平均屈折率、θは光線入射角をそれぞれ表わすことを特徴とする（請求項６に対応）。
【００１５】
さらには又、上記を解決するために提供される液晶表示装置は、
該表示装置の光源を提供するバック・ライト・ソースと、
該バック・ライト・ソースの上に位置し、可視光波長範囲よりも長い波長の光線を有する波長選択性反射層と、
該波長選択性反射層の上に位置する反射式偏光層と、
該反射式偏光層の上に位置し、円偏光を直線偏光に転換する位相差板と、
該位相差板の上に位置し、そしてその上の直線偏光の方向が互いに直交する第一及び第二の偏光膜と、
該第一及び第二の偏光膜の間に位置し、光線の伝達方向を制御する液晶層とを備えてなり、ここで、
該反射式偏光層は該反射式偏光層を通過できない円偏光を反射すると共に、視野角の大なるときに発生する反射波長範囲のシフト現象が波長選択性反射層の反射波長のシフトにより解決されることを特徴とする（請求項７に対応）。
【００１６】
上記本発明の液晶表示装置において、該波長選択性反射層は第一のコレステリック液晶層を備え、
該反射式偏光層は第二のコレステリック液晶層を備え、
該各コレステリック液晶層は異なる液晶構造のねじれピッチ長を有し、及び／又は、
該各コレステリック液晶層の反射光波長は、式λ（θ）＝ｎＰ０ｃｏｓ（ｓｉｎ−１ｓｉｎθ／ｎ）を満足し、そして該波長選択性反射層及び該反射式偏光層の反射光波長は可視光の範囲に位置しており、上記式中、λは反射波長、Ｐ０は液晶構造のねじれピッチ長、ｎは反射層の平均屈折率、θは光線入射角をそれぞれ表わすことを特徴とする（請求項８に対応）。
【発明を実施するための最良の形態】
【００１７】
図２は本発明の光線制御膜の構造である。図２に示すように、１００は光線制御膜であり、波長選択性反射膜２０と、偏光膜３０と、輝度増強膜２２とを備えてなる。
ここで、波長選択性反射膜２０は第一のコレステリック層２０２と、第一の透光基板２０１とを備えてなり、波長が可視光範囲よりも長い波長の光線を反射するためにある。また、輝度増強膜２２は透光基板２２１と、第二のコレステリック液晶層２２２と、位相差板２２４とを備えてなり、その中該第二のコレステリック液晶層２２２は該輝度増強膜を通過できない偏光を反射し、位相差板２２４は第二のコレステリック液晶層２２２を通過した円偏光を直線偏光に転換しその上に位置する層である偏光膜３０を通過させる。
【００１８】
また、ここで位相差板２２４は１／４波長板であり、そして偏光膜３０は吸収式の直線偏光膜である。
【００１９】
また、第一及び第二のコレステリック液晶２０２、２２２は、同一のらせん方向の構造を有するが、液晶構造のねじれピッチ長さは異なる。そして、第一及び第二のコレステリック液晶層２０２、２２２の各反射光波長と各コレステリック液晶層２０２、２２２の液晶構造のねじれピッチ長とは、液晶平均屈折率及び入射光角度とに関係し、これらは式λ（θ）＝ｎＰ０ｃｏｓ（ｓｉｎ−１ｓｉｎθ／ｎ）を満足する。上記式中、λは反射波長、Ｐ０は液晶構造のねじれピッチ長さ、ｎは反射層の平均屈折率、θは光線入射角をそれぞれ表わす。
【００２０】
その中、第一のコレステリック液晶層２０２の反射光波長は、可視光波長よりも長い波長の範囲に制御され、たとえば、７００ｎｍ以上の範囲である。
【００２１】
また、第二のコレステリック液晶層２２２の反射波長は可視光範囲内に制御されている。したがって、光線が波長選択性反射膜２０の下方向から入射して光線制御膜１００に進入すると、波長が可視光範囲より長い波長の反射光は第一のコレステリック液晶層２０２により反射され、他方、波長が可視光範囲内の反射光は第二のコレステリック液晶層２２２により反射される。
【００２２】
そして、光源が波長選択性反射層２０の下方向から、ある角度でもって光線制御膜１００に入射すると、各第一及び第二のコレステリック液晶層２０２、２２２の反射光波長は入射角度の影響を受けて短波長へシフトする。したがって、長波長の可視光（例えば赤色光）は第二のコレステリック液晶層２２２の反射光波長が短波長へのシフトの影響を受けることにより反射できない。そして第一のコレステリック液晶層２０２の反射光波長により可視光より長い波長範囲は可視光範囲にシフトする影響を受けて、本来第二のコレステリック液晶層２２２より反射できない長波長の可視光（例えば赤色線）を、波長選択性反射膜２０における第一のコレステリック液晶層２０２により、予め反射して補償される。したがって、第一のコレステリック液晶層２０２及び第二のコレステリック液晶層２２２を介して制御され、反射光の波長範囲を可視光範囲内に維持し、ひいては光線制御の目的を達成する。
【００２３】
次に図３（ａ）は、本発明の光線制御を応用した光学膜の構造図である。図３（ａ）において、２００は本発明による反射光波長範囲を制御する光学膜であり、波長選択性反射膜２０は第一のコレステリック液晶層２０２と、第一の透光基板２０１とを備え、波長が可視光範囲よりも長い波長の光線を反射する。また、輝度増強膜２２は透光基板２２１と、第二のコレステリック液晶層２２２と、位相差板２２４とを備えてなり、ここで第二のコレステリック液晶層２２２は通過できない偏光を反射し、そして位相差板２２４は第二のコレステリック液晶層２２２を通過する円偏光を直線偏光に転換する。
【００２４】
次に、光学膜２００はコレステリック液晶光学補償膜であり、ここで第一及び第二のコレステリック液晶層２０２、２２２は同一のらせん方向の構造を有するが、液晶構造のらせんピッチ長は異なる。そして第一及び第二のコレステリック液晶層２０２、２２２の反射光波長は、各コレステリック液晶層２０２、２２２の液晶構造のらせんピッチ長と、液晶平均屈折率と入射光角度とに関係し、これらは式λ（θ）＝ｎＰ０ｃｏｓ（ｓｉｎ−１ｓｉｎθ／ｎ）を満足する。上記式中、λは反射波長、Ｐ０は液晶構造のねじれピッチ長、ｎは反射層の平均屈折率、θは光線入射角をそれぞれ表わす。
【００２５】
ここで、第一のコレステリック液晶層２０２の反射波長は可視光波長よりも長い波長範囲に制御され、たとえば、７００ｎｍ以上の反射範囲である。また、第二のコレステリック液晶層２２２の反射波長は可視光波長の範囲内に制御されている。したがって、光源が波長選択性反射膜の下方向から入射して光学膜２００に進入すると、波長が可視光範囲よりも長い反射光は第一のコレステリック液晶層２０２により反射され、他方、波長が可視光範囲内の反射光は第二のコレステリック液晶層２２２により反射される。そして、光源が波長選択性反射膜２０の下方から、ある角度でもって光学膜２００に入射すると、第一及び第二のコレステリック液晶層２０２、２２２の反射光波長は入射角度の影響を受けて短波長側へシフトする。したがって、長波長の可視光（例えば赤色光）は第二のコレステリック液晶層２２２の反射光波長が短波長へのシフトの影響を受けることにより反射できない。そして、第一のコレステリック液晶層２０２の反射光波長により可視光よりも長い波長範囲は可視光範囲にシフトする影響を受けて、本来第二のコレステリック液晶層２２２より反射できない長波長の可視光（例えば赤色光）を、波長選択性反射膜２０における第一のコレステリック液晶層２０２により、予め反射して補償される。したがって、第一のコレステリック液晶層２０２及び第二のコレステリック液晶層２２２の波長範囲は可視光範囲内に維持され、ひいては偏光の回収及び反射光波長のシフトを補償する目的を達成する。
【００２６】
図３（ａ）及び（ｃ）に示すように、本発明の光学膜２００は、バック・ライト・モジュール１０又は偏光膜３０と共にマッチングして使用することができる。
【００２７】
図４は本発明の光線制御膜を応用した液晶表示装置の構造である。図４において３００は本発明に係る液晶表示装置であり、該表示装置の光源を提供するバック・ライト・ソースと、第一の透光基板２０１及び第一のコレステリック液晶層２０２を備え、選択的に波長が可視光範囲の光線を反射する波長選択性反射層２０と、波長選択性反射層上に位置した透光層基板２２１、第二のコレステリック液晶層２２２及び位相差板２２４を備えた輝度増強膜２２と、位相差板２２４の上に位置し、且つ直線偏光の方向が互いに垂直をなす第一及び第二の偏光膜３０１、３０２と、第一及び第二の偏光膜３０１、３０２の間に位置し、光線の伝達方向を制御する液晶層４０とを備えてなる。
【００２８】
その中、第一及び第二のコレステリック液晶層２０１、２２２の反射光波長は各コレステリック液晶層２０２、２２２の液晶構造のねじれピッチ長と、液晶平均屈折率と、入射角とに関係し、これらは式λ（θ）＝ｎＰ０ｃｏｓ（ｓｉｎ−１ｓｉｎθ／ｎ）を満足する。式中、λは反射波長、Ｐ０は液晶構造のねじれピッチ長、ｎは反射層の平均屈折率、θは光線入射角をそれぞれ表わす。
【００２９】
ここで第一のコレステリック液晶層２０２の反射光波長は、可視光波長より長い波長範囲に制御され、たとえば、７００ｎｍ以上である。また、第二のコレステリック液晶層２２２の反射波長は可視光波長範囲内に制御されている。したがって、光線が波長選択性反射膜２０の下方向から入射して光線制御膜１００に進入すると、波長が可視光範囲よりも長い反射光は第一のコレステリック液晶層２０２より反射され、他方、波長が可視光範囲内の反射光は第二のコレステリック液晶層２２２により反射される。そして、光線が波長選択性反射膜２０の下方から、ある角度でもって光線制御膜１００に入射すると、第一及び第二のコレステリック液晶層２０２、２２２の反射光波長は入射角度の影響を受けて短波長に向ってシフトする。したがって、長波長の可視光（例えば赤色光）は第二のコレステリック液晶層２２２の反射光波長が短波長へのシフトの影響を受けることにより反射できない。そして、第一のコレステリック液晶層２０２の反射光波長により可視光よりも長い波長範囲は可視光範囲にシフトする影響を受けて、本来第二のコレステリック液晶層２２２より反射できない長波長の可視光（例えば赤色光）を、波長選択性反射膜２０における第一のコレステリック液晶層２０２により、予め反射して補償される。したがって、第一のコレステリック液晶層２０２及び第二のコレステリック液晶層２２２を介して制御することにより、液晶表示装置３００は波長選択性反射膜２０及び輝度増強膜２２より反射された反射光波長を可視光範囲内に維持することができる。
【００３０】
また、波長選択性反射膜２０及び輝度増強膜２２により反射された反射光はバック・ライト・モジュールに戻った後、再びバックライト１０により再度反射すると共に、その円偏光の偏光方向はバック・ライト・モジュール１０を通して反射した後、反対方向に転換するので、波長選択性反射膜２０及び輝度増強膜２２を通過する。そして波長選択性反射膜２０及び輝度増強膜２２を通過した光線は、位相差板２２４を通して直線偏光に転換され、この直線偏光の偏光方向とその上の第一の偏光膜３０１は同一の直線偏光の方向を有し、ここで位相差板２２４は１／４波長板であっても良い。位相差板２２４を通過した直線偏光は第一の偏光膜３０１を通過することができる。第一の偏光膜３０１を通過した光線は、液晶層４０を通して光線伝達方向を制御することにより、光線を液晶表示装置３００の上に発現させることができる。
【００３１】
要するに、本発明は光線色彩シフトを補償し、光線透過効率を向上できる光線制御膜を提供し、且つ該光線制御膜を光学膜及び表示装置等に応用するものである。本発明は同時に液晶表示装置の輝度を向上すると共に、コレステリック液晶輝度増強膜が遭遇した色彩シフトの問題を解決するので、新規、進歩及び産業実用性を有する発明であり、発展の価値を有する。
上記実施の形態は本発明をより具体的に説明するためのものであり、よって本発明の技術的思想はこれに限定されず、添付クレームの範囲を逸脱しない限り、当業者による単純な設計変更、付加、修飾及び置換はいづれも本発明の技術的範囲に属する。
【図面の簡単な説明】
【００３２】
【図１】従来のコレステリック液晶・輝度増強膜の光線制御見取図である。
【図２】本発明の光線制御膜の構造図である。
【図３ａ】本発明の光線制御膜の光学膜構造図である。
【図３ｂ】本発明の光線制御膜を応用した光学膜と、バック・ライト・モジュール又は偏光膜とのマッチングを示す構造図である。
【図３ｃ】本発明の光線制御膜を応用した光学膜と、バック・ライト・モジュール又は偏光膜とのマッチングを示す構造図である。
【図４】本発明の光線膜を応用した液晶表示装置の構造図である。
【符号の説明】
【００３３】
１’、１０    バック・ライト・モジュール
１１’        非偏光の光線
１２’        左旋回の円偏光
１３’        右旋回の円偏光
１４’        直線偏光
２’          コレステリック液晶態輝度増強膜
２０        波長選択性反射膜
２０１、２２１  透光基板
２２’、２０２、２２２  コレステリック液晶層
２４’、２２４  位相差板
２２          輝度増強膜
３０、３０１  偏光膜
４０          液晶層
１００        光線制御膜
２００        光学膜
３００        液晶表示装置
【図１】
2006113519.tif 000003
【図２】
2006113519.tif 000004
【図３ａ】
2006113519.tif 000005
【図３ｂ】
2006113519.tif 000006
【図３ｃ】
2006113519.tif 000007
【図４】
2006113519.tif 000008